(57)【要約】【課題】  従来の撮像装置はＵＳＢインターフェースからの電力だけで動作することができなかった。【解決手段】  ＵＳＢインターフェースを介してのみ電力が供給されている場合は、そのＵＳＢインターフェースを介して接続されている外部機器との間で必要としない動作を実行するブロック３２への電力供給をスイッチ６により遮断することにより、主電源を装着しなくてもＵＳＢインターフェースからの電力だけで動作が可能になる。【選択図】    図１
2005071274.tif 000002
【特許請求の範囲】
【請求項１】
通信インターフェースと、
主電源又は前記通信インターフェースからの電力供給があるか否かを検出する検出手段と、
前記主電源からの電力が十分ではなく、前記通信インターフェースからの電力が十分である場合、前記通信インターフェースからの電力を所定の部分に限定して供給する電力管理手段とを有することを特徴とする撮像装置。
【請求項２】
前記通信インターフェースは、ＵＳＢ１．１、ＵＳＢ２．０又はこれらに類似する規格に準拠したインターフェースであることを特徴とする請求項１に記載の撮像装置。
【請求項３】
前記主電源からの電力が十分ではなく、前記通信インターフェースに供給されている電力が十分であることを使用者に通知する通知手段を更に有することを特徴とする請求項１又は２に記載の撮像装置。
【請求項４】
前記所定の部分は、撮像に関する動作を実行する機構部を含まないことを特徴とする請求項１乃至３のいずれか１項に記載の撮像装置。
【請求項５】
前記所定の部分は、使用者の操作に関する処理を実行する操作部を含むことを特徴とする請求項１乃至４のいずれか１項に記載の撮像装置。
【請求項６】
通信インターフェースを有する撮像装置における電力管理方法であって、
主電源又は前記通信インターフェースからの電力供給があるか否かを検出する検出工程と、
前記主電源からの電力が十分ではなく、前記通信インターフェースからの電力が十分である場合、前記通信インターフェースからの電力を所定の部分に限定して供給する電力管理工程とを有することを特徴とする電力管理方法。
【請求項７】
前記通信インターフェースは、ＵＳＢ１．１、ＵＳＢ２．０又はこれらに類似する規格に準拠したインターフェースであることを特徴とする請求項６に記載の電力管理方法。
【請求項８】
前記主電源からの電力が十分ではなく、前記通信インターフェースからの電力が十分であることを使用者に通知する通知工程を更に有することを特徴とする請求項６又は７に記載の電力管理方法。
【請求項９】
前記所定の部分は、撮像に関する動作を実行する機構部を含まないことを特徴とする請求項６乃至８のいずれか１項に記載の電力管理方法。
【請求項１０】
前記所定の部分は、使用者の操作に関する処理を実行する操作部を含むことを特徴とする請求項６乃至９のいずれか１項に記載の電力管理方法。
【請求項１１】
前記主電源は、ＡＣ電源又はバッテリであることを特徴とする請求項１乃至１０のいずれか１項に記載の電力管理方法。
【発明の詳細な説明】
【技術分野】
【０００１】
本発明は、ＵＳＢ（Universal Serial Bus）規格（ＵＳＢ１．１（非特許文献１参照）、ＵＳＢ２．０（非特許文献２参照）など）又はこれに類似する規格に準拠した通信インターフェースを有する撮像装置（デジタルビデオカメラ、デジタルカメラ等）及び電力管理方法に関する。
【背景技術】
【０００２】
ＵＳＢ（Universal Serial Bus）規格（ＵＳＢ１．１（非特許文献１参照）、ＵＳＢ２．０（非特許文献２参照）など）は、ＰＣ（パーソナルコンピュータ）と周辺機器との間の通信インターフェースに関する規格である。以下、ＵＳＢ規格に準拠した通信インターフェースをＵＳＢインターフェースと呼ぶ。
【０００３】
ＵＳＢインターフェースは、Ｄ＋線、Ｄ−線、ＶＢＵＳ線及びＧＮＤ線用のコネクタを有する。Ｄ＋線及びＤ−線は、データ通信用の電線であり、ＶＢＵＳ線及びＧＮＤ線は、電力供給用の電線である。ＶＢＵＳ線は、１００ｍＡ〜５００ｍＡの電流に制限されている。
【０００４】
ＵＳＢ規格には、バスパワードデバイス（bus-powered device）、セルフパワードデバイス（self- powered device）が規定されている。バスパワードデバイスとは、ホスト又はＵＳＢハブからＵＳＢインターフェースを介して供給された電力で動作するデバイスである。セルフパワードデバイスとは、自身の主電源（ＡＣ電源又はバッテリ）から供給された電力によって動作するデバイスである。
【０００５】
ＵＳＢの電力管理に関する従来技術には、例えば、特許文献１がある。特許文献１には、ホストの電力供給容量を超えるデバイスが接続されたとき、このデバイスの電力供給を制限することが記載されている。
【特許文献１】特開２００１−７５６８２号公報
【非特許文献１】Universal Serial Bus Specification Revision 1.1, September 23, 1998
【非特許文献２】Universal Serial Bus Specification Revision 2.0, April 27, 2000
【発明の開示】
【発明が解決しようとする課題】
【０００６】
しかしながら、従来の撮像装置（デジタルビデオカメラ、デジタルカメラ等）は、消費電力が高く、ＵＳＢインターフェースから供給される電力だけで動作することはできなかった。つまり、従来の撮像装置は、バスパワードデバイスとして動作することはできなかった。なお、このような問題は、ＵＳＢ規格に類似する規格に準拠した通信インターフェースを有する撮像装置においても生じる問題である。
【０００７】
本発明は、上記の問題点に鑑みてなされたものであり、通信インターフェースから供給される電力だけで動作することができる撮像装置（デジタルビデオカメラ、デジタルカメラ等）及び電力管理方法を提供することである。
【課題を解決するための手段】
【０００８】
本発明の撮像装置は、上記の目的を達成するために、通信インターフェースと、主電源又は前記通信インターフェースからの電力供給があるか否かを検出する検出手段と、前記主電源からの電力が十分ではなく、前記通信インターフェースからの電力が十分である場合、前記通信インターフェースからの電力を所定の部分に限定して供給する電力管理手段とを有することを特徴とする。
【０００９】
本発明の電力管理方法は、上記の目的を達成するために、通信インターフェースを有する撮像装置における電力管理方法であって、主電源又は前記通信インターフェースからの電力供給があるか否かを検出する検出工程と、前記主電源からの電力が十分ではなく、前記通信インターフェースからの電力が十分である場合、前記通信インターフェースからの電力を所定の部分に限定して供給する電力管理工程とを有することを特徴とする。
【発明の効果】
【００１０】
本発明の撮像装置及び電力管理方法によれば、通信インターフェースから供給される電力だけで動作することができる。
【発明を実施するための最良の形態】
【００１１】
以下、添付図面を参照して本発明の好適な実施の形態を詳しく説明する。
【００１２】
［第１の実施の形態］
図１は、本発明の第１の実施の形態に係るデジタルビデオカメラ２００の構成を示すブロック図である。
【００１３】
図１において、１はバックアップ電源から供給された電力を入力する端子である。端子１に入力された電力は、常にシステム制御部８に供給される。２は主電源（ＡＣ電源又はバッテリ）から供給された電力を入力する端子である。３はＵＳＢインターフェース４から供給された電力（バスパワーともいう）を入力する端子である。４はＵＳＢ１．１、ＵＳＢ２．０又はこれらに類似する規格に準拠したインターフェース（以下、ＵＳＢインターフェース）であり、Ｄ＋線、Ｄ−線、ＶＢＵＳ線及びＧＮＤ線用のコネクタを有する。ＵＳＢ規格で規定されているように、Ｄ＋線及びＤ−線は、データ通信用の電線であり、ＶＢＵＳ線及びＧＮＤ線は、電力供給用の電線である。５は電源検出部であり、主電源から端子２に供給されている電力が十分であるか否かを検出する機能と、ＵＳＢインターフェース４から端子３に供給される電力が十分であるか否かを検出する機能とを有する。６は切り替えスイッチで、オンされたときに、主電源からの電源供給をこのデジタルビデオカメラ２００の電源とする。７は切り替えスイッチで、オンされたときに端子３からの電力（バスパワー）をカード制御部１０、ＵＳＢ制御部１１、ＬＣＤ（Liquid Crystal Display）制御部１２、ＬＣＤ部１４、文字信号生成部１５へのみ供給する。８はシステム制御部で、このデジタルビデオカメラ２００全体の制御を実行している。このシステム制御部８において、８０はＣＰＵ、８１はＣＰＵ８０により実行される制御プログラム等を記憶しているメモリである。９は操作部で、使用者により操作される各種スイッチやキー、及び表示部を有している。
【００１４】
１０はカード制御部で、メモリカード２２に対してカメラ部２１で生成される映像信号の記録を行ったり、メモリカード２２の内容を再生して、その再生信号を信号処理部１９に渡してＡＶ端子２０へ出力したり、メモリカード２２の内容を再生して、その再生信号をＬＣＤ制御部１２に渡してＬＣＤ部１４に表示出力したり、或はメモリカード２２の内容を再生し、その再生信号をＵＳＢ制御部１１に渡してＵＳＢインターフェース４へ出力するなどの制御を行う。１１はＵＳＢ制御部で、ＵＳＢインターフェース４から入力される信号の制御を行っている。１２はＬＣＤ制御部で、文字信号生成部１５から生成される文字信号や、カード制御部１０から再生される信号や、メカ制御部１６からのテープ１８の再生信号や、カメラ部２１からの撮像信号をＬＣＤ部１４へ出力する。１３はデジタルビデオカメラ２００のＣＶＦ（Color View Finder）部、１４はデジタルビデオカメラ２００のＬＣＤ部１４である。１５は文字信号生成部で、文字信号を生成し、カード制御部１０から再生される信号や、信号処理部１９からのテープ１８の再生信号や、カメラ部２１からの撮像信号に、その文字信号をミックスして表示させる。
【００１５】
メカ制御部１６は、テープ１８へ映像を記録したり、テープ１８からの映像信号を再生するためにメカ部１７を制御する。メカ部１７は、実際にテープ１８へ映像を記録したり、テープ１８から映像を再生するための制御を実行している。１８は磁気テープである。信号処理部１９は、文字信号生成部１５から生成される文字信号や、カード制御部１０から再生される再生信号や、メカ制御部１６からのテープ１８の再生信号や、カメラ部２１からの撮像信号を、ＡＶ端子２０へ出力している。ＡＶ端子２０は、信号処理部１９からの信号を出力する。カメラ部２１は、このデジタルビデオカメラ２００における撮影処理を行うための信号を生成している。２３は電源部で、このデジタルビデオカメラ２００への電力供給を制御して、各部へ電力を供給している。２５はＣＶＦ制御部で、カード制御部１０から再生される再生信号や、メカ制御部１６からのテープ１８の再生信号や、カメラ部２１からの撮像信号をＣＶＦ部１３へ出力している。２６はＵＳＢインターフェース４に接続されるＵＳＢケーブルである。
【００１６】
尚、図１において、３０はバックアップ電源により電力が供給されているブロックである。３１はスイッチ７がオンのときに電力が供給されるブロックである。３２はスイッチ６がオンのときに電力が供給されるブロックである。なお、スイッチ６がオンのときはブロック３１及びブロック３２の両方に電力が供給されるため、デジタルビデオカメラ２００としての通常の動作が可能になる。
【００１７】
図２は、第１の実施の形態のデジタルビデオカメラ２００とプリンタ１００とを直接接続して印刷を行うための印刷システムの構成を説明する図である。
【００１８】
図２に示すように、デジタルビデオカメラ２００１００とプリンタ１００とをＵＳＢケーブル２６を介して接続した場合、プリンタ１００がホスト側でバスパワーを供給する側である。またデジタルビデオカメラ２００はデバイスで、バスパワーの供給を受ける側となる。このようなＵＳＢ接続で、デジタルビデオカメラ２００からメモリカード２２に記憶している画像情報をプリンタ１００に送信して印刷を行う。
【００１９】
図３は、第１の実施の形態に係るプリンタ１００の構成を示すブロック図である。
【００２０】
１３０はＵＳＢ１．１、ＵＳＢ２．０又はこれらに類似する規格に準拠したインターフェース（以下、ＵＳＢインターフェース）である。１０４はＵＳＢ制御部で、前述のデジタルビデオカメラ２００のＵＳＢ制御部１１と同様に、ＵＳＢによる信号の授受を制御している。１０８は画像メモリで、デジタルビデオカメラ２００から入力した符号化された画像データや、その画像データを伸張したプリント画像等を記憶する。１０９は色調整回路で、印刷する画像の色調整を行う。１１０は色調整回路で、印刷する画像の階調処理を行う。１１１はヘッドドライバ回路で、階調処理回路１１０から出力される画像データに応じてプリンタヘッド１１７を駆動する。１１８は画像が印刷される記録紙を示している。１１２はシステムコントローラで、このプリンタ１００全体の動作を制御している。１１３はモータ駆動回路で、プリンタヘッド１１７を走査させるためのキャリッジモータ１２２を回転駆動している。１１６はモータ駆動回路で、紙送り用のシートフィードモータ１２３を回転駆動している。１１４は電源をオンにしたり、キー操作をするためのメインスイッチである。１１５は表示部で、このプリンタ１００に関する情報を表示する。１１９は図示しない紙センサ等の出力に基づいて紙詰まり等を検知する紙ジャム検出回路である。１３１はバスパワー供給部で、ＵＳＢインターフェース１３０にバスパワーを供給している。ＵＳＢインターフェース１３０から供給されたバスパワーは、ＵＳＢインターフェース４に入力され、デジタルビデオカメラ２００で使用される。１３２は各ブロックに電源を供給する電源部である。
【００２１】
尚、プリンタヘッド１１７には、インクを吐出するためのエネルギーを発生するエネルギー発生手段としてピエゾ素子などの電磁機械変換体を用いたもの、或は発熱抵抗体を有する電気熱変換素子によって液体を加熱させるものなどがあるが、第１の実施の形態では、熱エネルギーを利用（膜沸騰現象を利用）して液体を吐出させるインクジェット方式の記録ヘッドとしている。
【００２２】
図４は、第１の実施の形態に係るデジタルビデオカメラ２００において実行される電力管理処理の手順を説明するフローチャートである。図４で説明する処理を実行するためのプログラムはシステム制御部８のメモリ８１に記憶されており、システム制御部８のＣＰＵ８０により実行される。尚、この処理を実行するシステム制御部８はバックアップ電源から供給されるバックアップ電源により動作している。
【００２３】
まずステップＳ１で、電流検出部５の検出結果を用いて主電源から端子２に供給されている電力が十分であるか否かを判定する。主電源から端子２に供給されている電力が十分である場合はステップＳ２に進み、スイッチ７をオフにし、次にステップＳ６をオンにする。これにより主電源からの電力が、このデジタルビデオカメラ２００全体に供給されて、デジタルビデオカメラ２００として通常の動作が全て可能になる（ステップＳ４）。
【００２４】
主電源から端子２に供給されている電力が十分でない場合はステップＳ５に進み、ＵＳＢインターフェース４から端子３に供給されている電力が十分であるか否かを判定する。ＵＳＢインターフェース４から端子３に供給されている電力が十分である場合はステップＳ６に進み、スイッチ６をオフし、次にステップＳ７でスイッチ７をオンする。これにより、ＵＳＢインターフェース４に供給された電力がスイッチ７を介して、システム制御部８、操作部９、カード制御部１０、ＵＳＢ制御部１１、ＬＣＤ制御部１２、ＬＣＤ部１４、文字信号生成部１５に供給される（ステップＳ８）。またスイッチ６がオフされることにより、カメラ部２１やテープ１８への画像記録を制御するブロック３２への電力供給が停止される。
【００２５】
図４は、バスパワーからの電力供給で動作している場合のＬＣＤ部１４に表示される画面の一例を示す図である。
【００２６】
この場合には、プリントするように選択された画像（４０１）及びプリント指示、プリントキャンセルのためのボタン４０２，４０３が表示され、更に、バスパワードデバイスとして動作していることを示すメッセージ４００（バスパワーで動作している）を表示する。こうしてシステム制御部８は、デジタルビデオカメラ２００の使用者が操作部９を操作して印刷や印刷設定以外の操作を禁止するとともに、デジタルビデオカメラ２００の使用者に対して、デジタルビデオカメラ２００の動作に制限をかけていることを通知する。
【００２７】
次にステップＳ９に進み、操作部９を使用して、プリント画像が選択され、図４に示す「プリント」ボタン４０２が指示されてプリント要求が入力されたかをみる。プリント要求が入力されるとステップＳ１０に進み、その選択されている画像データのプリンタ１００への送信が開始される。ここでは、カード制御部１０に対してメモリカード２２に記憶されている画像データの読み込み制御を行うように指示を出し、システム制御部８は、ＵＳＢ制御部１１に対して、カード制御部１０により読み取ったメモリカード２２の画像データをプリンタ１００で印刷可能なデータにしてＵＳＢインターフェース４からプリンタ１００へ送信させる。ステップＳ１１で、画像データの送信が終了するとステップＳ１２に進み、全画像データの送信が終了した旨がプリンタ１００に通知される。これによりプリンタ１００において印刷処理が開始される。
【００２８】
又、前述のステップＳ５で、ＵＳＢインターフェース４から端子３に供給されている電力が十分でない場合はステップＳ１３に進み、スイッチ６をオフさせる。そして次にステップＳ１４に進み、スイッチ７をオフさせる。これにより、デジタルビデオカメラ２００への電力供給が停止する。
【００２９】
尚、このデジタルビデオカメラ２００から画像データを受信したプリンタ１００は、システムコントローラ１１２によりプリント画像を形成して画像メモリ１０８に格納し、プリントの色調整を行う色調整回路１０９、プリントの階調処理を行う階調処理回路１１０、階調処理回路の出力画像をプリンタヘッド１１７に印加するヘッドドライバ回路１１１、プリンタヘッドを移動させるモータ駆動回路１１３、紙送りのモータを駆動させるモータ駆動回路１１６を制御して、記録紙１１８にその指示された画像を印刷する。
【００３０】
以上説明したように第１の実施の形態に係るデジタルビデオカメラ２００によれば、主電源からの電力が十分ではなく、ＵＳＢインターフェース４からの電力が十分である場合、限定されたブロックのみに電力を供給することができる。これによりデジタルビデオカメラ２００の主電源が無い状態でも、このデジタルビデオカメラ２００に装着されているメモリカードに記録された画像をプリンタに出力して印刷することができるという効果がある。
【００３１】
［第２の実施の形態］
図６は、本発明の第２の実施の形態に係るデジタルビデオカメラ２００の構成を示すブロック図で、前述の図１の構成と共通する部分は同じ記号で示し、それらの説明を省略する。
【００３２】
図６において、電源検出部５は、主電源から端子２に供給されている電力が十分であるか否かを検出する機能と、ＵＳＢインターフェース４から端子３に供給される電力が十分であるか否かを検出する機能とを有する。スイッチ７がオンされると、端子３から供給されるバスパワーがカード制御部１０、ＵＳＢ制御部１１へ電力を供給する。ＬＥＤ６１は、バスパワーのみでデジタルビデオカメラ２００が動作していることを使用者に示すために点灯される。６３はＣＶＦ＆ＬＣＤ制御部で、カード制御部１０から再生される信号や、メカ制御部１６からのテープ１８の再生信号や、カメラ部２１による撮像信号をＣＶＦ部１３やＬＣＤ（Liquid Crystal Display）部６４へ出力する。
【００３３】
尚、図６において、６２はＵＳＢ接続によるバスパワー又は主電源により電力が供給されるブロックを示し、６５は主電源からの電力により駆動されるブロックを示している。
【００３４】
上記構成を有するデジタルビデオカメラ２００において、図７に示すように、デジタルビデオカメラ２００とＰＣ３００とをＵＳＢケーブルを介して接続した場合、ＰＣ３００はホストとなり、バスパワーを供給する側となる。またデジタルビデオカメラ２００はデバイスで、バスパワーの供給を受ける側となる。このように接続された状態で、ＰＣ３００からの指示により、デジタルビデオカメラ２００のメモリカード２２に対して画像データの読み出し、及び書込を行うことができる。
【００３５】
図８は、第２の実施の形態のデジタルビデオカメラ２００において実行される電力管理処理の手順を説明するフローチャートである。図８で説明する処理を実行するためのプログラムはメモリ８１に記憶されており、ＣＰＵ８０により実行される。
【００３６】
まずステップＳ２１で、前述のステップＳ１（図４）と同様に、主電源から端子２に供給されている電力が十分であるか否かを判定する。主電源から端子２に供給されている電力が十分である場合はステップＳ２２に進み、スイッチ７をオフにし、スイッチ６をオンにしてステップＳ２４に進み、主電源からの電力をデジタルビデオカメラ２００のすべてのブロックに供給して、このデジタルビデオカメラ２００の機能を制限することなくデジタルビデオカメラ２００の動作実行可能とする。そしてステップＳ２５に進み、ＬＥＤ６１を消灯して、デジタルビデオカメラ２００がバスパワードデバイスとして動作していないことを使用者に通知する。
【００３７】
一方、主電源から端子２に供給されている電力が十分でない場合はステップＳ２６に進み、前述のステップＳ５（図４）と同様に、ＵＳＢインターフェース４から端子３に供給されている電力が十分であるか否かを判定する。ＵＳＢインターフェース４から端子３に供給されている電力が十分である場合はステップＳ２７に進み、スイッチ６をオフにしてブロック６５への電力供給を遮断し、ステップＳ２８でスイッチ７をオンにする。これによりバスパワーからの電力は、デジタルビデオカメラ２００のシステム制御部８、操作部９、カード制御部１０、ＵＳＢ制御部１１（ブロック６２）にのみ供給され、デジタルビデオカメラ２００全体の消費電力を低下させる（ステップＳ２９）。そしてステップＳ３０に進み、ＬＥＤ６１を点灯して、デジタルビデオカメラ２００がバスパワードデバイスとして動作していることを使用者に通知する。
【００３８】
この状態でもステップＳ２４の通常動作の場合と同様に、システム制御部８は、ＵＳＢインターフェース４、ＵＳＢ制御部１１を経由して、ＰＣ３００よりメモリカード２２からの画像データの読み出し指示を受けると、カード制御部１０に対してメモリカード２２の読み込み制御を行うように指示を出す。そして、カード制御部１０によりメモリカード２２から読み取ったデータをＰＣ３００に送信可能なデータに変換し、ＵＳＢ制御部１１によりＵＳＢインターフェース４から出力することができる。
【００３９】
また、ＵＳＢインターフェース４、ＵＳＢ制御部１１を経由して、ＰＣ３００よりメモリカード２２に対する画像データの書込指示を受けると、システム制御部７８は、ＰＣ３００から送信される画像データをＵＳＢ制御部１１により受け取り、メモリカード２２に書込可能なデータに変換してカード制御部１０の制御の下でメモリカード２２に書き込むことができる。
【００４０】
ＵＳＢインターフェース４から端子３に供給される電力が十分でない場合はステップＳ２６からステップＳ３１に進み、スイッチ７６をオフし、次にステップＳ３２に進み、スイッチ７７をオフする。これにより、デジタルビデオカメラ２００への電力供給が停止される。そしてステップＳ３３に進み、デジタルビデオカメラ２００がバスパワードデバイスとして動作していないことを使用者に通知するためにＬＥＤ６１を消灯する。
【００４１】
以上説明したように第２の実施の形態によれば、主電源からの電力が十分ではなく、ＵＳＢインターフェース４からの電力が十分である場合、限定されたブロックのみに電力供給を行うようにするので、主電源がない場合であって、ＰＣからデジタルビデオカメラ２００に装着されているメモリカードへの画像データのアクセスが可能となるという効果がある。
【００４２】
また、第２の実施の形態によれば、バスパワーによる電源供給を行うとき、撮像装置本体に接続される外部機器との間で、特に必要のない動作、例えば画像ブロックや表示ブロックなどをオフ（制限）することで、ＵＳＢが供給可能なバスパワー規格内で動作させることが可能となり、主電源等を撮像装置本体に装着しなくてもダイレクトプリントやカードリーダといった動作を容易に実行することができる。
【００４３】
また撮像装置本体がバスパワーで動作しているときに、機器本体に設けられた指標（ＬＥＤ）により、機器自体の撮像機能や画像表示機能がオフ（制限）されている状態を使用者に容易に認知させることができるという効果がある。
【００４４】
［他の実施の形態］
本発明の目的は前述したように、本実施の形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００４５】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれる。
【００４６】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含む。
【００４７】
尚、本実施の形態では、撮像装置がデジタルビデオカメラ２００の場合で説明したが本発明はこれに限定されるものでなく、例えばデジタルカメラ、携帯電話、ＰＤＡ端末等の各種モバイル機器にも適用できる。
【図面の簡単な説明】
【００４８】
【図１】第１の実施の形態に係るデジタルビデオカメラ２００の構成を示すブロック図である。
【図２】第１の実施の形態におけるデジタルビデオカメラ２００とプリンタとがＵＳＢ接続された状態を示す図である。
【図３】第１の実施の形態に係るプリンタの構成を示すブロック図である。
【図４】第１の実施の形態のデジタルビデオカメラ２００において実行される電力管理処理の手順を説明するフローチャートである。
【図５】第１の実施の形態において、デジタルビデオカメラ２００使用者に対してバスパワーで動作している旨を通知するパネル表示例を示す図である。
【図６】第２の実施の形態に係るデジタルビデオカメラ２００の構成を示すブロック図である。
【図７】第２の実施の形態におけるデジタルビデオカメラ２００とＰＣとがＵＳＢ接続された状態を示す図である。
【図８】第２の実施の形態のデジタルビデオカメラ２００において実行される電力管理処理の手順を説明するフローチャートである。
【図１】
2005071274.tif 000003
【図２】
2005071274.tif 000004
【図３】
2005071274.tif 000005
【図４】
2005071274.tif 000006
【図５】
2005071274.tif 000007
【図６】
2005071274.tif 000008
【図７】
2005071274.tif 000009
【図８】
2005071274.tif 000010